(57)【要約】【課題】カバーに挿入されたカードを位置ずれを生ずることなく確実に保持することのできるカード用コネクタを提供する。【解決手段】カバー２０の下面側にカード１を挿入すると、カード１が各カード保持部２３によって保持されるとともに、各カード保持部２３の圧接部２３ａがカード１との接触により下方に弾性変形し、各圧接部２３ａがその弾性力によりカード１に圧接する。また、カード１をカバー２０の一端側まで挿入すると、カード１の一端がカバー２０の嵌合部２４に嵌合するとともに、カバー２０の係止部２５がカード１の他端側に係止可能に位置する。【選択図】　図１１
2004055386.tif 000002
【特許請求の範囲】
【請求項１】
任意のカードを上面側に保持するコネクタ本体と、コネクタ本体のカード保持面を開閉するカバーと、コネクタ本体とカバーとの間に保持されたカードに電気的に接触する端子とを備え、カバーの一端側をコネクタ本体に回動自在に連結し、カバーの幅方向両端側にはカードをカバーに沿って抜き差し自在に保持するカード保持部を設けたカード用コネクタにおいて、
前記カード保持部にカードをカバーの内面側に圧接させる弾性変形可能な圧接部を設けた
ことを特徴とするカード用コネクタ。
【請求項２】
前記圧接部をカード保持部からカードの挿入方向に板状に延びるように形成するとともに、その基端側をカバーの下面側に向かって傾斜するように形成し、その先端側をカバーの下面の反対側に向かって傾斜するように形成した
ことを特徴とする請求項１記載のカード用コネクタ。
【請求項３】
前記カバーの一端側にカバーに挿入されたカードの一端側と嵌合する嵌合部を設けた
ことを特徴とする請求項１または２記載のカード用コネクタ。
【請求項４】
前記カバーの他端側にカバーに挿入されたカードの他端に係止する係止部を設けた
ことを特徴とする請求項１、２または３記載のカード用コネクタ。
【発明の詳細な説明】
【０００１】
【発明の属する技術分野】
本発明は、例えば携帯電話機等に用いられるＳＩＭカードを接続するためのカード用コネクタに関するものである。
【０００２】
【従来の技術】
従来、この種のカード用コネクタとしては、例えば特開平１０−１０６６７４号公報に記載されているように、任意のカードを上面側に保持するコネクタ本体と、コネクタ本体のカード保持面を開閉するカバーと、コネクタ本体とカバーとの間に保持されたカードに電気的に接触する複数の端子とを備え、カバーの一端側をコネクタ本体に回動自在に連結したものが知られている。
【０００３】
このコネクタでは、カバーの幅方向両端側に略Ｌ字状に屈曲した一対のカード保持部を設け、カードを装填する際はカバーに沿ってカードを挿入することにより、カードを各カード保持部によってカバーに保持した後、カードを保持したカバーをコネクタ本体側に閉じることにより、カードがカバーとコネクタ本体との間に保持されて各端子と接触するようになっている。
【０００４】
【発明が解決しようとする課題】
しかしながら、前記コネクタでは、カバーに挿入されたカードが各カード保持部に容易に移動可能な状態で保持されているため、カバーを閉じる際にカードの位置ずれを生じ易く、このためカバーを閉めることができなかったり、或いは端子との接触不良を生ずるなどの問題点があった。
【０００５】
本発明は前記問題点に鑑みてなされたものであり、その目的とするところは、カバーに挿入されたカードを位置ずれを生ずることなく確実に保持することのできるカード用コネクタを提供することにある。
【０００６】
【課題を解決するための手段】
本発明は前記目的を達成するために、請求項１では、任意のカードを上面側に保持するコネクタ本体と、コネクタ本体のカード保持面を開閉するカバーと、コネクタ本体とカバーとの間に保持されたカードに電気的に接触する端子とを備え、カバーの一端側をコネクタ本体に回動自在に連結し、カバーの幅方向両端側にはカードをカバーに沿って抜き差し自在に保持するカード保持部を設けたカード用コネクタにおいて、前記カード保持部にカードをカバーの内面側に圧接させる弾性変形可能な圧接部を設けている。
【０００７】
これにより、カバーの下面側にカードを挿入すると、カードの幅方向両端側が各カード保持部によって保持されるとともに、各カード保持部の圧接部がカードとの接触により弾性変形し、圧接部がその弾性力によりカードに圧接する。
【０００８】
また、請求項２では、請求項１記載のカード用コネクタにおいて、前記圧接部をカード保持部からカードの挿入方向に板状に延びるように形成するとともに、その基端側をカバーの下面側に向かって傾斜するように形成し、その先端側をカバーの下面の反対側に向かって傾斜するように形成している。
【０００９】
これにより、請求項１の作用に加え、圧接部の基端側がカバーの下面側に向かって傾斜しているため、この傾斜に案内されて圧接部がカードに押圧されながら弾性変形する。また、圧接部の先端側はカバーの下面の反対側に向かって傾斜しているため、カードをカバーから抜き取る際に圧接部の先端がカードに接触することがない。
【００１０】
また、請求項３では、請求項１または２記載のカード用コネクタにおいて、前記カバーの一端側にカバーに挿入されたカードの一端側と嵌合する嵌合部を設けている。
【００１１】
これにより、請求項１または２の作用に加え、カバーにカードを挿入すると、カードの一端側に嵌合部が嵌合することから、カードの一端側がカバーに確実に保持される。
【００１２】
また、請求項４では、請求項１、２または３記載のカード用コネクタにおいて、前記カバーの他端側にカバーに挿入されたカードの他端に係止する係止部を設けている。
【００１３】
これにより、請求項１、２または３の作用に加え、カバーの他端側に設けた係止部により、挿入後のカードが係止部との係止によって反挿入方向に抜け出ることがない。
【００１４】
【発明の実施の形態】
図１乃至図１１は本発明の一実施形態を示すもので、図１及び図２はカード用コネクタの斜視図、図３及び図４はその平面図、図５及び図６はその底面図、図７はその側面図、図８はその正面断面図、図９はカバーの開閉動作を示すカード用コネクタの側面図、図１０及び図１１はカード用コネクタの側面断面図である。
【００１５】
このコネクタは、上面側にカード１を保持するコネクタ本体１０と、コネクタ本体１０のカード保持面を開閉するカバー２０と、コネクタ本体１０とカバー２０との間に保持されたカード１と電気的に接触する複数の端子３０とから構成されている。
【００１６】
カード１は、いわゆるＳＩＭカード等のＩＣカードからなり、例えば電話加入者識別用のモジュールとして携帯電話機に用いられるものである。カード１の表面には計６つの接点１ａが設けられ、各接点１ａを介してコネクタと電気的に接触するようになっている。
【００１７】
コネクタ本体１０は板状に形成された合成樹脂の一体成型品からなり、その各端子３０が配置される複数の端子孔１１が設けられ、各端子孔１１はカード１の各接点１ａにそれぞれ対応するように計２列に配列されている。
【００１８】
カバー２０は金属製の板状部材からなり、その幅方向両端にはコネクタ本体１０側に折曲げられた側面部２１がそれぞれ形成されている。各側面部２１の一端側はカバー２０の本体側よりもやや長く延び、その先端側にはコネクタ本体１０の側面に回動自在に連結される連結部２２が設けられている。各側面部２１の一部にはカード１を保持するカード保持部２３がそれぞれ設けられ、各カード保持部２３はカバー２０の一部を幅方向内側に向かって略Ｌ字状に折り曲げることによって形成されている。各カード保持部２３にはカード１をカバー２０の下面側に圧接させる弾性変形可能な圧接部２３ａが設けられ、圧接部２３ａはカード保持部２３からカード挿入方向に板状に延びるように形成されている。この場合、圧接部２３ａの基端側はカバー２０の下面側に向かって傾斜するように形成され、その先端側はカバー２０の下面の反対側に向かって傾斜するように形成されている。また、カバー２０の一端側にはカード１の一端と嵌合可能な嵌合部２４が設けられ、嵌合部２４はカバー２０の一部を断面略コ字状に折り曲げることによって形成されている。更に、カバー２０の他端側にはカード１の他端と係止可能な係止部２５が設けられ、係止部２５はカバー２０の一部をＬ字状に折り曲げることによって形成されている。カバー２０の他端側はコネクタ本体１０よりも長く形成され、その幅方向両側にはカード１の一部を露出させる第１の切り欠き部２６が設けられている。更に、カバー２０の他端の幅方向中央には半円状の第２の切り欠き部２７が設けられ、第２の切り欠き部２７からもカード１の一部が露出するようになっている。
【００１９】
各端子３０は略Ｕ字状に屈曲した導電性の金属板からなり、コネクタ本体１０の各端子孔１１に取付けられている。各端子３０の一端側には上方に突出するように湾曲する接触部３０ａが形成され、各接触部３０ａはそれぞれコネクタ本体１０の各端子孔１１から上方へ突出している。この場合、各端子３０は接触部３０ａが上下方向に変位するように弾性変形可能に形成されている。また、各端子３０の他端はコネクタ本体１０の下面側を前後方向に延び、図示しない基板等に接続されるようになっている。
【００２０】
以上のように構成されたコネクタおいては、図９（ａ）　に示すように開放状態のカバー２０の下面に沿ってカード１を挿入し、カバー２０をコネクタ本体１０側に閉じると、カード１がカバー２０とコネクタ本体１０との間に保持され、カード１が各端子３０に接触して電気的に導通する。
【００２１】
その際、カバー２０の下面側にカード１を挿入すると、カード１が各カード保持部２３によって保持されるとともに、各カード保持部２３の圧接部２３ａがカード１との接触により下方に弾性変形し、各圧接部２３ａがその弾性力によりカード１に圧接する。この場合、圧接部２３ａの基端側はカバー２０の下面側に向かって傾斜しているため、この傾斜に案内されて圧接部２３ａがカード１に押圧されながら弾性変形する。また、カード１をカバー２０の一端側まで挿入すると、カード１の一端がカバー２０の嵌合部２４に嵌合するとともに、カバー２０の係止部２５がカード１の他端側に係止可能に位置する。
【００２２】
また、カード１を取外す場合は、各第１の切り欠き部２６から露出したカード１の一部を幅方向両側から指先で把持してカード１をカバー２０から引き抜くことにより、カード１が取出される。その際、第２の切り欠き部２７から露出するカード１の他端側を押し下げながら引き抜くことにより、カード１が係止部２５に係止することなく取出される。また、圧接部２３ａの先端側はカバー２０の下面の反対側に向かって傾斜しているため、カード１をカバー２０から抜き取る際に圧接部２３ａの先端がカード１に接触することがない。
【００２３】
このように、本実施形態のカード用コネクタによれば、各カード保持部２３にカード１をカバー２０の内面側に圧接させる弾性変形可能な圧接部２３ａを設けたので、各圧接部２３ａの弾性力によってカード１をカバー２０に圧接させることができ、カバー２０に挿入されたカード１の位置ずれを確実に防止することができる。
【００２４】
この場合、圧接部２３ａの基端側をカバー２０の下面側に向かって傾斜するように形成するとともに、圧接部２３ａの先端側をカバー２０の下面の反対側に向かって傾斜するように形成したので、カード挿入時は圧接部２３ａをカード１によって案内しながら容易に弾性変形させることができ、カードの挿入を常に円滑に行うことができる。また、カード１を抜き取る際は圧接部２３ａの先端がカード１に接触することがないため、カード１との接触抵抗を増大させることがなく、カード１を常に円滑に取出すことができる。更に、圧接部２３ａの先端との接触によってカード１を傷付けることがないという利点もある。
【００２５】
また、カバー２０の一端側にカバー２０に挿入されたカード１の一端側と嵌合する嵌合部２４を設けたので、カード１の一端側をカバー２０に確実に保持することができ、より効果的にカード１の位置ずれを防止することができる。
【００２６】
更に、カバー２０の他端側にカバー２０に挿入されたカード１の他端に係止する係止部２５を設けたので、係止部２５との係止により挿入後のカード１が反挿入方向に抜け出ることがなく、カード１の位置ずれをより確実に防止することができる。
【００２７】
【発明の効果】
以上説明したように、請求項１のカード用コネクタによれば、カバーに挿入されたカードを位置ずれを生ずることなく確実に保持することができるので、カードを保持したカバーを常に良好に開閉することができるとともに、カードと端子との接触不良も確実に防止することができる。
【００２８】
また、請求項２のカード用コネクタによれば、請求項１の効果に加え、カード挿入時は圧接部をカードによって案内しながら容易に弾性変形させることができるので、カードの挿入を常に円滑に行うことができる。また、カードを抜き取る際は圧接部の先端がカードに接触することがないため、カードとの接触抵抗を増大させることがなく、カードを常に円滑に取出すことができる。更に、圧接部の先端との接触によってカードを傷付けることがないという利点もある。
【００２９】
また、請求項３のカード用コネクタによれば、請求項１または２の効果に加え、カードの一端側をカバーに確実に保持することができるので、より効果的にカードの位置ずれを防止することができる。
【００３０】
また、請求項４のカード用コネクタによれば、請求項１、２または３の効果に加え、挿入後のカードが反挿入方向に抜け出ることがないので、カードの位置ずれをより確実に防止することができる。
【図面の簡単な説明】
【図１】本発明の一実施形態を示すカード用コネクタの斜視図
【図２】カード挿入状態を示すカード用コネクタの斜視図
【図３】カード用コネクタの平面図
【図４】カード挿入状態を示すカード用コネクタの平面図
【図５】カード用コネクタの底面図
【図６】カード挿入状態を示すカード用コネクタの底面図
【図７】カード用コネクタの側面図
【図８】カード用コネクタの正面断面図
【図９】カバーの開閉動作を示すカード用コネクタの側面図
【図１０】カード用コネクタの側面断面図
【図１１】カード挿入状態を示すカード用コネクタの側面断面図
【符号の説明】
１…カード、１０…コネクタ本体、２０…カバー、２３…カード保持部、２３ａ…圧接部、２４…嵌合部、２５…係止部、３０…端子。
【図１】
2004055386.tif 000003
【図２】
2004055386.tif 000004
【図３】
2004055386.tif 000005
【図４】
2004055386.tif 000006
【図５】
2004055386.tif 000007
【図６】
2004055386.tif 000008
【図７】
2004055386.tif 000009
【図８】
2004055386.tif 000010
【図９】
2004055386.tif 000011
【図１０】
2004055386.tif 000012
【図１１】
2004055386.tif 000013